(57)【要約】  本発明は洗浄機器の分野に属し、具体的には、洗浄機器の制御方法及び洗浄機器に関する。洗浄機器は、洗濯物の複数の属性情報を識別し、属性情報を制御ユニットに伝達する。制御ユニットは、各属性情報にそれぞれ対応する洗浄プログラムを取得すると、洗浄プログラムを論理的に判断し、衣類の全ての属性情報に適合する最適な洗浄プログラムを選択する。本発明の有益な効果としては、洗濯物の属性情報から対応する洗浄プログラムを取得し、衣類の全ての属性情報に適合する最適な洗浄プログラムを自動で選択する。ユーザが、洗浄プログラムを再び入力したり選択したりしなくても洗浄プログラムのスマート選択が実現されるため、ユーザによる洗浄プログラムの選択ミスで衣類が損傷する確率が低下する。また、洗浄プログラムの選択は複数の因子と関係するため、最も重要な材質情報及びデザイン情報を選んで最適な洗浄プログラムを選択する。よって、いっそう簡単に自動洗浄が実現される。【選択図】図１
2020524534.tif 000002
【特許請求の範囲】
【請求項１】
洗浄機器は、洗濯物の複数の属性情報を識別して属性情報を制御ユニットに伝達し、制御ユニットは、各属性情報にそれぞれ対応する洗浄プログラムを取得すると、洗浄プログラムを論理的に判断し、衣類の全ての属性情報に適合する最適な洗浄プログラムを選択することを特徴とする洗浄機器の制御方法。
【請求項２】
各属性情報には洗浄プログラムが１つずつ対応付けられており、洗浄プログラムごとに異なる優先レベルが対応付けられており、制御ユニットは、各属性情報にそれぞれ対応する洗浄プログラムを取得するとともに、複数の洗浄プログラムの優先レベルを比較して、衣類の全ての属性情報に適合する最適な洗浄プログラムを選択し、
好ましくは、前記属性情報は材質情報とデザイン情報を含み、
前記洗浄機器は洗濯機又は衣類乾燥機であることを特徴とする請求項１に記載の洗浄機器の制御方法。
【請求項３】
前記洗浄プログラムの優先レベルには、洗浄機器の回転速度、及び／又は、洗浄機器の加熱温度が対応付けられており、
好ましくは、洗浄機器の回転速度が小さいほど優先レベルが高いか、或いは、洗浄機器の加熱温度が低いほど優先レベルが高いことを特徴とする請求項２に記載の洗浄機器の制御方法。
【請求項４】
前記制御方法は、
Ｓ１：洗浄機器が１着の洗濯物の複数の属性情報を識別し、各属性情報には洗浄プログラムが１つずつ対応付けられており、制御ユニットが、各属性情報にそれぞれ対応する洗浄プログラムを取得するとともに、複数の前記洗浄プログラムの優先レベルを比較して、前記衣類の全ての属性情報に適合する最適な洗浄プログラムを取得するステップと、
Ｓ２：上記の方法に基づいて各洗濯物の最適な洗浄プログラムを取得し、制御装置が、各洗濯物の最適な洗浄プログラムの優先レベルを比較して、衣類の全属性情報に適合する最適な洗浄プログラムを取得するステップ、を含むことを特徴とする請求項２又は３に記載の洗浄機器の制御方法。
【請求項５】
Ｓ１の具体的方法として、
洗浄機器は、洗濯物の属性情報ＣＺ１、ＣＺ２・・・ＣＺｎと、これらに対応する洗浄プログラムが順に洗浄プログラムＣＸ１、ＣＸ２・・・ＣＸａ・・・ＣＸｎ（ｎは正の整数）である旨、及び、属性情報ＫＳ１、ＫＳ２・・・ＫＳｍと、これらに対応する洗浄プログラムが順に洗浄プログラムＣＸ１、ＣＸ２・・・ＣＸｂ・・・ＣＸｍ（ｍは正の整数）である旨を予め設定し、洗浄プログラムＣＸにおけるａ、ｂの値が大きいほど優先レベルは高くなり、
洗浄機器は、１着の洗濯物の属性情報ＣＺａと属性情報ＫＳｂを識別すると、属性情報ＣＺａと属性情報ＫＳｂを制御ユニットに伝達し、制御ユニットは、属性情報ＣＺａと属性情報ＫＳｂを洗浄機器に予め設定されている属性と照合して、属性情報ＣＺａ及び属性情報ＫＳｂにそれぞれ対応する洗浄プログラムＣＸａ及びＣＸｂを取得し、ａとｂの値を比較して、ａ≦ｂならば、前記衣類の全属性情報に適合する最適な洗浄プログラムは洗浄プログラムＣＸｂとなり、ａ＞ｂならば、前記衣類の全属性情報に適合する最適な洗浄プログラムは洗浄プログラムＣＸａとなることを特徴とする請求項４に記載の洗浄機器の制御方法。
【請求項６】
洗浄機器は、各洗濯物の複数の属性情報を識別して、各洗濯物の属性情報を制御ユニットに伝達し、制御ユニットは、各属性情報にそれぞれ対応する洗浄プログラムを取得するとともに、全洗浄プログラムの優先レベルを比較して、衣類の全ての属性情報に適合する最適な洗浄プログラムを取得することを特徴とする請求項２又は３に記載の洗浄機器の制御方法。
【請求項７】
全ての洗浄プログラムの優先レベルを比較する前に、全ての洗浄プログラムの集合を求めてから、集合内の洗浄プログラムの優先レベルを比較して、全衣類の全ての属性に適合する最適な洗浄プログラムを取得することを特徴とする請求項６に記載の洗浄機器の制御方法。
【請求項８】
前記制御方法は、ステップとして、
洗浄機器が、洗濯物の属性情報ＣＺ１、ＣＺ２・・・ＣＺｎと、これらに対応する洗浄プログラムＣＸ１、ＣＸ２・・・ＣＸａ・・・ＣＸｎ（ｎは正の整数）、及び、属性情報ＫＳ１、ＫＳ２・・・ＫＳｍと、これらに対応する洗浄プログラムＣＸ１、ＣＸ２・・・ＣＸａ・・・ＣＸｍ（ｍは正の整数）を予め設定し、洗浄プログラムＣＸａにおけるａの値が大きいほど優先レベルは高くなり、
洗浄機器は、１着目の洗濯物の属性情報ＣＺ１ａと属性情報ＫＳ１ｂを読み取ると、属性情報ＣＺ１ａと属性情報ＫＳ１ｂを制御ユニットに伝達し、制御ユニットは、属性情報ＣＺ１ａと属性情報ＫＳ１ｂに基づいて、これらにそれぞれ対応する洗浄プログラムＣＸａ及びＣＸｂを取得し、
２着目の洗濯物の属性情報ＣＺ２ｃ及び属性情報ＫＳ２ｄについて、属性情報ＣＺ２ｃと属性情報ＫＳ２ｄを制御ユニットに伝達し、制御ユニットは、属性情報ＣＺ２ｃと属性情報ＫＳ２ｄに基づいて、これらにそれぞれ対応する洗浄プログラムＣＸｃ及びＣＸｄを取得し、
最後に、ｔ着目の洗濯物の属性情報ＣＺｔｅ及び属性情報ＫＳｔｆについて、属性情報ＣＺｔｅと属性情報ＫＳｔｆを制御ユニットに伝達し、制御ユニットは、属性情報ＣＺｔｅと属性情報ＫＳｔｆに基づいて、これらにそれぞれ対応する洗浄プログラムＣＸｅ及びＣＸｆを取得し、
ａ、ｂ、ｃ、ｄ、ｅ、ｆの値を比較し、ａが最大ならば洗浄プログラムＣＸａを実行し、ｂが最大ならば洗浄プログラムＣＸｂを実行し、ｃが最大ならば洗浄プログラムＣＸｃを実行し、ｄが最大ならば洗浄プログラムＣＸｄを実行し、ｅが最大ならば洗浄プログラムＣＸｅを実行し、ｆが最大ならば洗浄プログラムＣＸｆを実行することを特徴とする請求項６又は７に記載の洗浄機器の制御方法。
【請求項９】
洗浄機器は、洗浄機器に設けられる衣類情報識別器によって、洗浄機器に投入された衣類タグの材質情報及び／又はデザイン情報を読み取り、
好ましくは、前記衣類情報識別器には、ＱＲコード（登録商標）識別器、ＲＦＩＤコード識別器又はＮＦＣ識別器が含まれることを特徴とする請求項１〜７のいずれかに記載の洗浄機器の制御方法。
【請求項１０】
請求項１〜９のいずれかに記載の制御方法を用いる洗浄機器。
【発明の詳細な説明】
【技術分野】
【０００１】
本発明は洗浄機器の分野に属し、具体的には、洗浄機器の制御方法及び洗浄機器に関する。
【背景技術】
【０００２】
生活水準の向上に伴って、洗濯機や衣類乾燥機といった家電製品がますます一般家庭に導入されるようになっており、生活の利便性を高めている。洗濯機の場合には、衣類の汚れを除去する洗浄、すすぎ、脱水等の複数の洗浄過程が予め設定されている。
【０００３】
従来技術では、衣類の量のみから水流や洗浄時間を決定している。例えば、衣類の量が少ない場合には、弱い水流を用いるとともに洗浄時間を短縮するが、衣類の量が多い場合には、強い水流を用いるとともに洗浄時間を延長する。一方で、衣類の製造材質がますます豊富となり、衣類のデザインが多様化するのに伴って、衣類の材質の違いに応じて必要な洗浄方式も異なるようになっている。例えば、リネン類製品等の薄物を洗浄する際に、洗浄プログラムとして強洗いを選んだ場合には、衣類の変形や損傷が生じやすい。
【０００４】
しかし、衣類の材質に基づいて洗浄過程の各種因子を調整した場合には制御が複雑となる。また、洗濯機の制御装置で処理するデータが多くなり、破損しやすい。そこで、操作が簡単且つ容易な制御方法を設計することが、早急に解決を要する課題となっている。
【０００５】
以上に鑑みて、本発明を提案する。
【発明の概要】
【発明が解決しようとする課題】
【０００６】
本発明は、従来技術の瑕疵を解消し、洗浄機器の制御方法及び洗浄機器を提供することを解決しようとする技術的課題とする。当該方法では、洗濯物の属性情報から対応する洗浄プログラムを取得し、衣類の全ての属性情報に適合する最適な洗浄プログラムを自動で選択する。ユーザが洗浄プログラムを再び入力したり選択したりしなくても洗浄プログラムのスマート選択が実現されるため、ユーザによる洗浄プログラムの選択ミスで衣類が損傷する確率が低下する。また、洗浄プログラムの選択は複数の因子と関係するため、最も重要な材質情報及びデザイン情報を選んで最適な洗浄プログラムを選択し、自動洗浄を実現する。
【課題を解決するための手段】
【０００７】
上記の技術的課題を解決すべく、本発明で採用する技術方案の基本思想について以下に述べる。
【０００８】
洗浄機器の制御方法であって、洗浄機器は、洗濯物の複数の属性情報を識別して属性情報を制御ユニットに伝達し、制御ユニットは、各属性情報にそれぞれ対応する洗浄プログラムを取得すると、洗浄プログラムを論理的に判断し、衣類の全ての属性情報に適合する最適な洗浄プログラムを選択する。
【０００９】
各属性情報には洗浄プログラムが１つずつ対応付けられており、洗浄プログラムごとに異なる優先レベルが対応付けられており、制御ユニットは、各属性情報にそれぞれ対応する洗浄プログラムを取得するとともに、複数の洗浄プログラムの優先レベルを比較して、衣類の全ての属性情報に適合する最適な洗浄プログラムを選択する。好ましくは、前記属性情報は材質情報とデザイン情報を含む。
【００１０】
前記洗浄プログラムの優先レベルには、洗浄機器の回転速度、及び／又は、洗浄機器の加熱温度が対応付けられている。好ましくは、洗浄機器の回転速度が小さいほど優先レベルが高いか、或いは、洗浄機器の加熱温度が低いほど優先レベルが高い。
【００１１】
前記洗浄機器の制御方法は、Ｓ１：洗浄機器が１着の洗濯物の複数の属性情報を識別し、各属性情報には洗浄プログラムが１つずつ対応付けられており、制御ユニットが、各属性情報にそれぞれ対応する洗浄プログラムを取得するとともに、前記複数の洗浄プログラムの優先レベルを比較して、前記衣類の全ての属性情報に適合する最適な洗浄プログラムを取得するステップと、Ｓ２：上記の方法に基づいて各洗濯物の最適な洗浄プログラムを取得し、制御装置が、各洗濯物の最適な洗浄プログラムの優先レベルを比較して、衣類の全属性情報に適合する最適な洗浄プログラムを取得するステップ、を含む。
【００１２】
Ｓ１の具体的方法として、洗浄機器は、洗濯物の属性情報ＣＺ１、ＣＺ２・・・ＣＺｎと、これらに対応する洗浄プログラムが順に洗浄プログラムＣＸ１、ＣＸ２・・・ＣＸａ・・・ＣＸｎ（ｎは正の整数）である旨、及び、属性情報ＫＳ１、ＫＳ２・・・ＫＳｍと、これらに対応する洗浄プログラムが順に洗浄プログラムＣＸ１、ＣＸ２・・・ＣＸｂ・・・ＣＸｍ（ｍは正の整数）である旨を予め設定する。洗浄プログラムＣＸにおけるａ、ｂの値が大きいほど優先レベルは高くなる。洗浄機器は、１着の洗濯物の属性情報ＣＺａと属性情報ＫＳｂを識別すると、属性情報ＣＺａと属性情報ＫＳｂを制御ユニットに伝達する。制御ユニットは、属性情報ＣＺａと属性情報ＫＳｂを洗浄機器に予め設定されている属性と照合し、属性情報ＣＺａ及び属性情報ＫＳｂにそれぞれ対応する洗浄プログラムＣＸａ及びＣＸｂを取得する。次に、ａとｂの値を比較して、ａ≦ｂならば、前記衣類の全属性情報に適合する最適な洗浄プログラムは洗浄プログラムＣＸｂとなる。また、ａ＞ｂならば、前記衣類の全属性情報に適合する最適な洗浄プログラムは洗浄プログラムＣＸａとなる。
【００１３】
洗浄機器は、各洗濯物の複数の属性情報を識別して、各洗濯物の属性情報を制御ユニットに伝達し、制御ユニットは、各属性情報にそれぞれ対応する洗浄プログラムを取得するとともに、全洗浄プログラムの優先レベルを比較して、衣類の全ての属性情報に適合する最適な洗浄プログラムを取得する。
【００１４】
全ての洗浄プログラムの優先レベルを比較する前に、全ての洗浄プログラムの集合を求めてから、集合内の洗浄プログラムの優先レベルを比較して、全衣類の全ての属性に適合する最適な洗浄プログラムを取得する。
【００１５】
前記制御方法は、ステップとして、洗浄機器が、洗濯物の属性情報ＣＺ１、ＣＺ２・・・ＣＺｎと、これらに対応する洗浄プログラムＣＸ１、ＣＸ２・・・ＣＸａ・・・ＣＸｎ（ｎは正の整数）、及び、属性情報ＫＳ１、ＫＳ２・・・ＫＳｍと、これらに対応する洗浄プログラムＣＸ１、ＣＸ２・・・ＣＸａ・・・ＣＸｍ（ｍは正の整数）を予め設定する。洗浄プログラムＣＸａにおけるａの値が大きいほど優先レベルは高くなる。洗浄機器は、１着目の洗濯物の属性情報ＣＺ１ａと属性情報ＫＳ１ｂを読み取ると、属性情報ＣＺ１ａと属性情報ＫＳ１ｂを制御ユニットに伝達する。制御ユニットは、属性情報ＣＺ１ａと属性情報ＫＳ１ｂに基づいて、これらにそれぞれ対応する洗浄プログラムＣＸａ及びＣＸｂを取得する。また、２着目の洗濯物の属性情報ＣＺ２ｃ及び属性情報ＫＳ２ｄについて、属性情報ＣＺ２ｃと属性情報ＫＳ２ｄを制御ユニットに伝達する。制御ユニットは、属性情報ＣＺ２ｃと属性情報ＫＳ２ｄに基づいて、これらにそれぞれ対応する洗浄プログラムＣＸｃ及びＣＸｄを取得する。・・・最後に、ｔ着目の洗濯物の属性情報ＣＺｔｅ及び属性情報ＫＳｔｆについて、属性情報ＣＺｔｅと属性情報ＫＳｔｆを制御ユニットに伝達する。制御ユニットは、属性情報ＣＺｔｅと属性情報ＫＳｔｆに基づいて、これらにそれぞれ対応する洗浄プログラムＣＸｅ及びＣＸｆを取得する。ａ、ｂ、ｃ、ｄ、ｅ、ｆの値を比較し、ａが最大ならば洗浄プログラムＣＸａを実行し、ｂが最大ならば洗浄プログラムＣＸｂを実行し、ｃが最大ならば洗浄プログラムＣＸｃを実行し、ｄが最大ならば洗浄プログラムＣＸｄを実行し、ｅが最大ならば洗浄プログラムＣＸｅを実行し、ｆが最大ならば洗浄プログラムＣＸｆを実行する。
【００１６】
洗浄機器は、洗浄機器に設けられる衣類情報識別器によって、洗浄機器に投入された衣類タグの材質情報及び／又はデザイン情報を読み取る。好ましくは、前記衣類情報識別器には、ＱＲコード（登録商標）識別器、ＲＦＩＤコード識別器又はＮＦＣ識別器が含まれる。
【００１７】
また、上記の制御方法を用いる洗浄機器を提供する。
【発明の効果】
【００１８】
上記の技術方案を用いることで、本発明は従来技術と比較して以下の有益な効果を有する。
【００１９】
１．洗濯物の属性情報から対応する洗浄プログラムを取得し、衣類の全ての属性情報に適合する最適な洗浄プログラムを自動で選択する。ユーザが、洗浄プログラムを再び入力したり選択したりしなくても洗浄プログラムのスマート選択が実現されるため、ユーザによる洗浄プログラムの選択ミスで衣類が損傷する確率が低下する。洗浄プログラムの選択は複数の因子と関係するため、最も重要な材質情報及びデザイン情報を選んで洗浄プログラムを選択し、自動洗浄を実現する。また、洗浄プログラムの優先レベルを比較することで、優先レベルが最も高い洗浄プログラムを最適な洗浄プログラムとして選択する。そして、洗浄機器が前記最適な洗浄プログラムを実行するよう制御する。１つの洗浄プログラムは複数の因子により制御される。また、衣類の属性はその違いによって洗浄プログラムの異なる因子の影響を受ける。そこで、衣類の属性を比較することで最適な洗浄プログラムを選択するため、いっそう簡単・便利である。
【００２０】
２．本発明における洗浄機器の制御方法は、洗濯物の衣類情報を識別し、衣類の材質及びデザインから機器洗浄に向くか否かを判断することで、ユーザに対し注意喚起することが可能である。よって、機器洗浄不可の衣類を機器洗浄するとの事態が回避され、機器洗浄に向かない衣類の損傷リスクを大幅に低下させられる。また、洗浄の安全性も向上する。
【００２１】
３．本発明の制御方法は、機器洗浄に向くか否かを判断するとともに、色にコンフリクトが存在するか否かを判断する。そして、相応の色に関するコンフリクトについて注意喚起するとともに、適切な洗濯プログラムを提案する。これにより、着色や色移りも回避可能となる。
【００２２】
４．本発明の制御方法では、材質にコンフリクトが存在するか否かについても判断し、注意喚起することが可能である。また、自動的に洗濯プログラムをマッチング及び推薦可能である。推薦するプログラムは、衣類の損傷をできるだけ抑えられるよう保護する方式で実行されるため、衣類の損傷リスクを更に低下させられる。
【００２３】
５．本発明の制御方法は、色、材質、デザインを含む洗濯物の衣類情報を識別するだけで、機器洗浄に向くか否か及び混合洗浄に向くか否かのコンフリクトについて注意喚起することが可能である。また、二次識別による確認の後にこれらの情報を同時に分析することで、衣類の全ての属性情報に適合する最適な洗浄プログラムを推薦する。よって、ユーザが洗浄プログラムを再び入力したり選択したりしなくても、洗浄プログラムのスマート選択が実現される。
【００２４】
また、本発明では、衣類情報を情報カテゴリに基づき分類するとともに、具体的に定義された情報を各種データ情報がコード形式で表すことで、衣類情報による記憶空間の占有を節約する。更に、本発明は、上記のデータ記憶方法によりデータを記憶するデータ担持体を提供する。前記データ担持体は、小さな空間に大量の衣類情報を記憶可能である。前記データ担持体は、対応する識別器で識別することでデータ担持体内に記憶されているコードを取得可能であり、前記コードから、前記識別器は更に具体的な衣類情報を取得可能である。この種の記憶方法は、読み取りが迅速且つ容易である。また、情報が詳細となり、識別率が高いほか、エラー率が低い。よって、洗浄機器が衣類情報に基づいて注意喚起を行い、洗浄の安全性を確保するために都合がよい。
【００２５】
以下に、図面を組み合わせて、本発明の具体的実施形態につき更に詳細に述べる。
【００２６】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２７】
【図１】図１は、本発明の実施例１から実施例４における洗浄機器の制御方法のフローチャートである。
【図２】図２は、本発明の実施例７における制御方法のフローチャートである。
【図３】図３は、本発明の実施例８における制御方法のフローチャートである。
【図４】図４は、本発明におけるデータ担持体の記憶構造を示す図である。
【図５】図５は、本発明における衣類情報コードを電子タグに記憶する方法の記憶ステップである。
【図６】図６は、本発明の電子タグにおける衣類情報コードの記憶構造である。
【発明を実施するための形態】
【００２８】
なお、これらの図面及び文字記載は何らかの方式で本発明の構想の範囲を制限するとの意図ではなく、特定の実施例を参照して当業者に本発明の概念を説明するためのものである。
【００２９】
本発明における実施例の目的、技術方案及び利点をより明確とすべく、以下では本発明の実施例にかかる図面を組み合わせて、実施例の技術方案につき明瞭簡潔に述べる。なお、以下の実施例は本発明を説明するためのものであって、本発明の範囲を制限するものではない。
【００３０】
本発明の記載において、「上」、「下」、「前」、「後」、「左」、「右」、「垂直」、「内」、「外」等の用語で示される方向又は位置関係は、図示に基づく方向又は位置関係であり、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００３１】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００３２】
図１に示すように、本実施例は、洗浄機器の制御方法を提供する。洗濯物が洗浄機器に投入されると、洗浄機器は洗濯物の衣類情報を識別することで、機器洗浄に向くか否かを判断する。そして、判断結果がＹＥＳの場合には、洗濯プログラムを推薦して実行するが、判断結果がＮＯの場合には一時停止して注意喚起を行う。
【００３３】
本実施例の洗浄機器には、洗濯機、衣類乾燥機、乾燥機等が含まれる。従来の洗浄機器では、衣類が洗浄機器に投入されたあと、機器洗浄に向くか否かを識別することなく、洗浄や乾燥等のプログラムを実行していた。また、衣類が機器洗浄に向かない場合でもユーザに対し警告は提示されず、衣類の深刻な損傷が発生しやすかった。
【００３４】
これに対し、本実施例では、洗濯物が洗浄機器に投入されたあと、洗浄機器が洗濯物の衣類情報を識別し、衣類が機器洗浄に向くか否かを判断する。そして、機器洗浄に向かない場合には警告を提示し、ユーザに注意を促す。ユーザは注意喚起を目にした場合、洗濯物を取り出して別途処理してもよいし、気にせず機器洗浄する場合には、確認操作の後に洗浄を行ってもよい。
【００３５】
前記衣類情報は、材質、色、デザイン、重量のうちの少なくとも１つから選択される。洗浄機器は、材質及び／又はデザイン情報に基づいて一次識別を行い、衣類が機器洗浄に向くか否かを判断する。
【００３６】
本実施例の洗浄機器は、ＲＦＩＤタグ、ＱＲコード（登録商標）又はＮＦＣタグを識別する方式等で衣類情報を識別可能とする。材質、色、デザイン、重量、ブランド情報等を含む衣類情報が洗浄機器により収集、識別及び判断されたあと、洗浄機器は、材質及び／又はデザインに基づいて衣類が機器洗浄に向くか否かを判断する。
【００３７】
機器洗浄の場合には内槽が回転するため、衣類に一定の摩擦が生じる。衣類の材質又はいずれかの材質からなるデザインが、機械の回転によって損傷しやすい場合には機器洗浄に向かない。そこで、洗浄機器は、材質及び／又はデザインに基づいて衣類が機器洗浄に向くか否かを判断する。例えば、洗浄機器は、衣類の材質がレザー又はＰＵ又はその他の皮材質であると識別及び判断した場合、或いは、衣類のデザインが、ジャケット、革製の服、革パンツ等であると識別及び判断した場合、機器洗浄には向かない旨を注意喚起して、ユーザに警告を与える。これにより、ユーザが誤って投入することで衣類が損傷し、不可逆的な損失が生じるとの事態が回避される。
【００３８】
更なる方案として、洗浄機器は、衣類が機器洗浄に向くと判断した場合、洗濯プログラムを推薦して実行する。
【００３９】
機器洗浄に向かない場合には、機器洗浄に向かない旨を注意喚起するとともに、洗濯物を取り出すよう提案する。そして、ユーザからの命令を待って再起動し、二次識別を実施する。
【００４０】
洗浄機器は、衣類が機器洗浄に向くと判断した場合、全ての洗濯物の材質と重量から総合的に洗濯プログラムのパラメータを推薦する。前記洗濯プログラムは、全ての衣類に対する損傷力を最小とするものである。その後、洗濯プログラムを始動して洗浄を行う。
【００４１】
洗浄機器は、衣類が機器洗浄に向かないと判断すると、機器洗浄に向かない旨を注意喚起するとともに、ユーザに対し洗濯物を取り出すよう提案する。洗浄機器が注意喚起する際には、様々な方式を利用可能である。例えば、対応するパイロットランプが点灯するよう制御したり、及び／又は、洗浄機器のディスプレイに表示するよう制御したり、及び／又は、音声警告を提示するよう制御したり、及び／又は、モバイル端末に送信して表示したりする。ユーザは、注意喚起を目にしたあと、衣類を選んで取り出し、洗浄を諦めてもよいし、気にしない場合には確認操作を行ってもよい。洗浄機器は次の命令を受け付けると再起動し、二次識別を行う。
【００４２】
更なる方案として、洗浄機器は二次識別を行った際に、衣類が機器洗浄に向くと判断した場合、材質及び重量に基づいて洗濯プログラムのパラメータを推薦するとともに、洗濯プログラムを始動する。
【００４３】
また、衣類が機器洗浄に向かないと判断した場合には、一時停止するとともに一時停止する旨を提示し、洗濯物を取り出すよう提案する。そして、ユーザからの命令を待って再起動し、洗濯プログラムのパラメータを推薦するとともに、洗濯プログラムを始動する。
【００４４】
ユーザが次の命令を発するのを待って洗浄機器が二次識別を行うのは、衣類が機器洗浄に向くか否かを再び判断することで、判断の確実性を向上させることが目的である。また、これによりユーザの操作ミスも回避可能となる。ユーザが、１回目の注意喚起を受け取ったあとに機器洗浄に向かない衣類を取り出した場合、２回目の判断のあとに、機器洗浄に向かない衣類が存在しなければ、材質及び重量に基づいて洗濯プログラムのパラメータを推薦するとともに、洗濯プログラムを始動する。このことは、１回目の注意喚起が良好な役割を果たし、衣類の損傷が回避されたことを意味する。一方で、ユーザが気にすることなく機器洗浄を行おうとし、且つ衣類を取り出さなかった場合、洗浄機器は、二次識別のあとに再び機器洗浄に向かない衣類が存在すると判断するとともに、注意喚起を行う。このとき、ユーザに２回目の確認の機会を与えることで、ユーザによる操作ミスのリスクを回避する。２回の注意喚起を行ったあとに、ユーザが依然として始動する旨を確認した場合には、ユーザが気にすることなく機器洗浄を行う旨を決定したことを意味するため、洗濯プログラムのパラメータを推薦するとともに、洗濯プログラムを始動する。このように、当該制御方法では、ユーザに対し注意喚起が可能であるとともに、各種の可能性も考慮して適切なプログラムを推薦する。よって、スマートにユーザのニーズを満たすことができる。
【実施例２】
【００４５】
図１に示すように、本実施例は実施例１を更に限定する。洗濯物が洗浄機器に投入されると、洗浄機器は、更に衣類情報に基づいて混合洗浄に向くか否かを判断する。そして、判断結果がＹＥＳの場合には、洗濯プログラムを推薦して実行するが、判断結果がＮＯの場合には、注意喚起するとともに分別洗浄を提案する。
【００４６】
本実施例の洗浄機器は洗濯機である。洗浄する衣類が１着よりも多い場合、洗濯機は機器洗浄に向くか否かを判断するとともに、衣類が混合洗浄に向くか否かについても判断する。これにより、衣類の色移りや、材質の違いが大きいことによる衣類の損傷を回避する。混合洗浄に向く衣類は、色褪せや色移りといった色面でのリスクが存在せず、且つ、材質的に類似しており、同様の洗濯パラメータを適合可能でなければならない。
【００４７】
更なる方案として、洗濯機が混合洗浄に向くか否かを判断する際には、色情報に基づいて、衣類に色に関するコンフリクトが存在するか否かを判断する。そして、判断結果がＹＥＳの場合には、色にコンフリクトが存在する旨を注意喚起するとともに、分別洗浄を提案する。また、判断結果がＮＯの場合には、洗濯プログラムを推薦して実行する。
【００４８】
洗濯機は、洗濯物の色及び／又は材質から、洗濯物に色落ちや色移りが生じやすいと判断した場合、色にコンフリクトが存在する旨を注意喚起する。好ましくは、色落ちしやすいと判断した場合には、色移りよりも優先的に、色にコンフリクトが存在する旨を注意喚起する。即ち、衣類の色落ち／色褪せに関する注意喚起の優先度は、衣類の色移りに関する注意喚起の優先度よりも高い。
【００４９】
具体的に、洗濯物に濃色系の衣類及び／又はデニム素材の衣類が存在すると識別した場合には、色落ちしやすいと判断する。或いは、洗濯物に濃色系の衣類と白色系の衣類が存在すると識別した場合には、色移りしやすいと判断する。好ましくは、前記濃色系は、黒、濃い赤、濃いグレー、深緑、紺、濃い紫、薄紫、濃い黄色から選択される。
【００５０】
洗濯機は、色にコンフリクトが存在する旨を注意喚起する場合、対応するパイロットランプが点灯するよう制御したり、及び／又は、洗浄機器のディスプレイに色落ちしやすい衣類である旨の情報を表示するよう制御したり、及び／又は、音声警告を提示するよう制御したり、及び／又は、色落ちしやすい衣類である旨の情報をモバイル端末に送信したりするとともに、その他の衣類との分別洗浄を提案する。
【実施例３】
【００５１】
図１に示すように、本実施例は実施例１を更に限定する。洗浄機器が混合洗浄に向くか否かを判断する際には、更に、材質及びデザイン情報に基づいて、衣類に材質に関するコンフリクトが存在するか否かを判断する。そして、判断結果がＹＥＳの場合には、材質にコンフリクトが存在する旨を注意喚起するとともに、取り出すよう提案する。また、判断結果がＮＯの場合には、洗濯プログラムを推薦して実行する。
【００５２】
本実施例の洗浄機器は洗濯機である。洗濯機内の洗濯物が２着以上ある場合には、各衣類の材質が柔らかいものや固いものというように異なっている恐れがある。違いが大きい場合に同一の洗浄プログラムを用いてしまうと、柔らかい衣類に大きな損傷が生じやすい。そこで、本方案の洗濯機は、衣類が混合洗浄に向くか否かを判断する際に、更に、材質及びデザイン情報に基づいて、衣類に材質に関するコンフリクトが存在するか否かを判断する。そして、判断結果がＹＥＳの場合には、材質にコンフリクトが存在する旨を注意喚起するとともに、ユーザに分別洗浄を提案する。これにより、柔らかい材質の衣類の損傷が回避される。
【００５３】
洗濯機が識別する材質及び／又はデザインの衣類が混合洗浄に向かず、材質にコンフリクトが存在する場合としては、具体的に以下の状況がある。
【００５４】
状況１：洗濯機は、スーツや洋服のズボン等の正装とその他の衣類が混在していると識別した場合、材質にコンフリクトが存在する旨を注意喚起するとともに、分別洗浄を提案する。
【００５５】
状況２：洗濯機は、セーターやニット等の編物とその他の衣類が混在していると識別した場合、材質にコンフリクトが存在する旨を注意喚起するとともに、分別洗浄を提案する。
【００５６】
状況３：洗濯機は、カシミヤのセーター、ウールのパンツ、カシミヤのパンツといった毛類の衣服とその他の衣類が混在していると識別した場合、材質にコンフリクトが存在する旨を注意喚起するとともに、分別洗浄を提案する。
【００５７】
状況４：洗濯機は、衣類の材質がウールやカシミヤ等であり、且つその他の衣類と混在していると識別した場合、材質にコンフリクトが存在する旨を注意喚起するとともに、分別洗浄を提案する。
【００５８】
状況５：洗濯機は、衣類の材質がシルクや蚕糸等であり、且つその他の衣類と混在していると識別した場合、材質にコンフリクトが存在する旨を注意喚起するとともに、分別洗浄を提案する。
【００５９】
洗浄機器が洗濯物の材質とデザインを識別して材質にコンフリクトがある旨を注意喚起する際に、上記の状況が同時に発生した場合には、注意喚起の優先度を、正装＞編物＞毛類の衣服＞シルクの衣類の順とする。
【実施例４】
【００６０】
図１に示すように、本実施例は実施例１を更に限定する。洗濯機は、各衣類の材質、色及びデザイン情報をそれぞれ取得することで、各衣類が機器洗浄に向くか否か、及び、その他の衣類との混合洗浄に向くか否かを判断するとともに、機器洗浄に向かない旨の注意喚起、及び／又は、色にコンフリクトが存在する旨の注意喚起、及び／又は、材質にコンフリクトが存在する旨の注意喚起を行う。
【００６１】
本実施例では、洗濯物が洗浄機器に投入されると、洗浄機器が、洗濯物の衣類情報を識別することで、機器洗浄に向くか否か、混合洗浄に向くか否かをそれぞれ判断する。そして、判断結果がＹＥＳの場合には、洗濯プログラムを推薦して実行するが、判断結果がＮＯの場合には、一時停止して注意喚起を行う。
【００６２】
機器洗浄に向かない旨の注意喚起、色にコンフリクトが存在する旨の注意喚起、及び／又は、材質にコンフリクトが存在する旨の注意喚起が同時に発生した場合には、各注意喚起の優先度を、機器洗浄に向かない旨の注意喚起＞色にコンフリクトが存在する旨の注意喚起＞材質にコンフリクトが存在する旨の注意喚起の順とする。
【００６３】
洗浄機器は洗濯機である。衣類の場合、機器洗浄に向かないものを機器洗浄すると、例えば革製の衣類の場合には亀裂が入るというように、相当大きな損傷が生じる恐れがある。よって、機器洗浄については最も優先して注意喚起せねばならない。次に、衣類に色落ちや色移りが存在すると、その他の衣類が着色されて比較的大きな損失が発生するため、２番目に注意喚起する。最後に、材質に関するコンフリクトは先の２つよりは影響が小さいため、一番あとに注意喚起する。
【００６４】
更なる方案として、当該方法の具体的なステップには以下が含まれる。
【００６５】
Ｓ１：洗浄機器の電源をオンにして洗濯物を投入する。
【００６６】
Ｓ２：洗浄機器は、各衣類の色、材質、デザイン、重量、ブランド情報から選ばれる少なくとも１つの情報を識別する。
【００６７】
Ｓ３：洗浄機器は、各衣類が機器洗浄に向かないか否か、色にコンフリクトが存在するか否か、材質にコンフリクトが存在するか否かを判断する。
【００６８】
Ｓ４：いずれもＮＯの場合にはプログラムを始動し、洗濯プログラムを推薦して実行する。また、少なくとも１つがＹＥＳの場合には、機器洗浄に向かない旨の注意喚起、及び／又は、色にコンフリクトが存在する旨の注意喚起、及び／又は、材質にコンフリクトが存在する旨の注意喚起を行う。
【００６９】
Ｓ５：ユーザは注意喚起に基づいて反応する。洗浄機器は、ユーザからの命令を受け付けて洗濯プログラムを始動する旨を確認すると、衣類の二次識別を行って、各衣類が機器洗浄に向かないか否かを判断する。そして、ＮＯの場合には、洗濯物の材質、重量に基づいて洗濯プログラムを推薦及び始動し、洗浄を行う。一方、ＹＥＳの場合には、一時停止する旨を提示する。そして、ユーザからの命令を受け付けて、洗濯プログラムを始動する旨を確認すると、洗濯物の材質、重量に基づいて洗浄プログラムを推薦するとともに、始動して洗浄を行う。
【００７０】
本方案では、注意喚起の際に、更に洗濯プログラムの提案を追加している。例えば、セーターと綿入れを一緒に投入して洗うと、２種類の材質にコンフリクトが発生する。そのため、洗濯機は、セーター同士を一緒に洗い、綿入れについては麻と一緒に洗うようユーザに注意喚起する。また、２種類のプログラムでは、それぞれ酸性及びアルカリ性の洗剤を使用するよう注意喚起する。
【実施例５】
【００７１】
本実施例は洗濯機を提供する。本実施例の洗濯機は、実施例１から実施例４のいずれかの方案を有するか、方案を組み合わせた制御方法を有する。
【００７２】
ユーザが洗濯物を洗濯機に投入すると、洗濯機はＲＦＩＤを起動して、衣類の色、材質、デザイン、重量、ブランド情報を識別し、各衣類が機器洗浄に向かないか否か、色にコンフリクトが存在するか否か、材質にコンフリクトが存在するか否かを判断する。そして、いずれもＮＯの場合にはプログラムを始動し、最適な洗濯プログラムを推薦して実行することで、各衣類の損傷が最小となるよう保証する。また、少なくとも１つがＹＥＳの場合には、機器洗浄に向かない旨の注意喚起、及び／又は、色にコンフリクトが存在する旨の注意喚起、及び／又は、材質にコンフリクトが存在する旨の注意喚起を行う。
【００７３】
ユーザは、注意喚起に基づいて反応する。洗浄機器は、ユーザからの命令を受け付けて、洗濯プログラムを始動する旨を確認すると、衣類の二次識別を行って、各衣類が機器洗浄に向かないか否かを判断する。そして、ＮＯの場合には、洗濯物の材質、重量に基づいて洗濯プログラムを推薦及び始動し、洗浄を行う。一方、ＹＥＳの場合には、一時停止する旨を提示する。そして、ユーザからの命令を受け付けて洗濯プログラムを始動する旨を確認すると、洗濯物の材質、重量に基づいて洗浄プログラムを推薦するとともに、始動して洗浄を行う。
【実施例６】
【００７４】
図２に示すように、本実施例は洗浄機器の制御方法を提供する。洗浄機器は、洗濯物の複数の属性情報を識別し、属性情報を制御ユニットに伝達する。制御ユニットは、各属性情報にそれぞれ対応する洗浄プログラムを取得すると、洗浄プログラムを論理的に判断し、衣類の全ての属性情報に適合する最適な洗浄プログラムを選択する。
【００７５】
衣類の属性が異なる場合には、衣類の属性の違いに応じて異なる洗浄プログラムを採用し、洗浄せねばならない。そこで、衣類の属性情報を識別し、全衣類の全ての属性に適合する最適な洗浄方式を取得することで、洗浄プログラムの選択ミスにより洗濯物が損傷するとの事態を回避する。
【００７６】
更に、洗濯機が、実施例１から５のいずれかの方案のように、機器洗浄に向くか否か及び混合洗浄に向くか否かを判断する機能を有する場合、洗濯機は、機器洗浄に向くか否か、混合洗浄に向くか否かを判断してから洗浄プログラムを推薦する際に、機器洗浄に向く洗濯物及び混合洗浄に向く洗濯物の複数の属性情報を識別したあと、属性情報を制御ユニットに伝達する。制御ユニットは、各属性情報にそれぞれ対応する洗浄プログラムを取得すると、洗浄プログラムを論理的に判断し、衣類の全ての属性情報に適合する最適な洗浄プログラムを選択する。
【００７７】
また、洗濯機が、機器洗浄に向くか否か及び混合洗浄に向くか否かを判断する機能を有さない場合、洗濯物は上記の判断を経ない全ての衣類としてもよい。
【００７８】
更に、各属性情報には洗浄プログラムが１つずつ対応付けられており、洗浄プログラムごとに異なる優先レベルが対応付けられている。制御ユニットは、各属性情報にそれぞれ対応する洗浄プログラムを取得するとともに、複数の洗浄プログラムの優先レベルを比較して、衣類の全ての属性情報に適合する最適な洗浄プログラムを選択する。各属性情報には洗浄プログラムが１つずつ対応付けられており、洗浄プログラムごとに異なる優先レベルが対応付けられている。洗濯物の衣類の属性が複数存在する場合には、複数の洗浄プログラムが得られるため、洗浄プログラムの優先レベルを比較する。そして、優先レベルが最も高い洗浄プログラムを取得し、洗浄機器が前記洗浄プログラムを実行するよう制御する。
【００７９】
前記属性情報は、材質情報とデザイン情報を含む。
【００８０】
洗浄機器は、洗濯機又は衣類乾燥機である。
【００８１】
更に、前記洗浄プログラムの優先レベルには、洗浄機器の回転速度、及び／又は、洗浄機器の加熱温度、及び／又は、洗浄時間が対応付けられている。
【００８２】
具体的に、洗浄機器の回転速度が小さいほど優先レベルは高くなる。例えば、洗浄プログラムは、強洗い、中洗い及び弱洗いを含む。洗浄機器において、パルセータ又は洗濯槽の回転を制御するモータの回転速度が大きいほど洗浄力は強くなり、回転速度が最大の場合が強洗い、回転速度が最小の場合が弱洗い、中速の場合が中洗いである。優先レベルは、弱洗い＞中洗い＞強洗いの順となる。
【００８３】
或いは、洗浄機器が、洗浄水加熱機能や乾燥機能といったその他の機能を更に有する場合には、洗浄機器のモータの回転速度、加熱温度及び洗浄時間によって共に洗浄プログラムを設定する。例えば、強洗い高温プログラムＣＸ１は、洗浄及び脱水時のモータの回転速度が大きく、洗浄時の洗浄水の温度が高温である。また、洗浄過程全体の時間が短い。強洗い常温プログラムＣＸ２は、洗浄及び脱水時のモータの回転速度が大きく、洗浄時の洗浄水が常温である。また、洗浄過程全体に要する時間がやや長い。弱洗い常温プログラムＣＸ３は、洗浄及び脱水時のモータの回転速度が遅い。洗浄は優しく、洗浄時の洗浄水が常温である。また、洗浄過程全体に要する時間が最も長い。優先レベルは、弱洗い常温プログラムＣＸ３＞強洗い常温プログラムＣＸ２＞強洗い高温プログラムＣＸ１となる。
【００８４】
洗浄機器が洗濯物の複数の属性情報を識別する際には、洗浄機器に設けられる衣類情報識別器によって、洗浄機器に投入された衣類タグの材質情報及び／又はデザイン情報を読み取る。前記衣類情報識別器には、ＱＲコード（登録商標）識別器、ＲＦＩＤコード識別器、又はＮＦＣ識別器が含まれる。
【００８５】
衣類には、ワイヤレススマートタグが設けられる。ワイヤレススマートタグは、ＱＲコード（登録商標）、ＲＦＩＤタグ又はＮＦＣタグである。
【００８６】
洗濯物の複数の属性情報の識別は、洗浄機器に衣類を投入する前に行ってもよいし、衣類を投入したあとに行ってもよい。
【００８７】
各洗浄機器には複数の洗浄プログラムが設定されている。また、各洗浄プログラムの洗浄時間、洗浄水温度、洗浄回転速度及び脱水回転速度は、いずれも洗浄機器に設定済みである。
【００８８】
１つの洗浄プログラムは複数の因子により制御される。また、衣類の属性はその違いによって洗浄プログラムの異なる因子の影響を受ける。そこで、洗浄プログラムは因子ごとに逐一変えるのではなく、衣類の属性に基づき最適なものを選択する。本発明の方法によれば、コンフリクトの発生可能性が低下するため、いっそう簡単・便利である。
【実施例７】
【００８９】
図２に示すように、本実施例は実施例６を更に限定する。洗浄機器の制御方法は、以下のステップを含む。
【００９０】
Ｓ１：洗浄機器は、１着の洗濯物の複数の属性情報を識別する。各属性情報には洗浄プログラムが１つずつ対応付けられている。制御ユニットは、各属性情報にそれぞれ対応する洗浄プログラムを取得するとともに、複数の洗浄プログラムの優先レベルを比較して、前記衣類の全ての属性情報に適合する最適な洗浄プログラムを取得する。
【００９１】
Ｓ２：上記の方法に基づき、各洗濯物の最適な洗浄プログラムを取得する。
【００９２】
Ｓ３：制御装置は、各洗濯物の最適な洗浄プログラムの優先レベルを比較し、衣類の全属性情報に適合する最適な洗浄プログラムを取得する。
【００９３】
Ｓ４：洗浄機器が前記最適な洗浄プログラムを実行するよう制御する。
【００９４】
具体的に、洗浄機器の制御方法は以下のステップを含む。
【００９５】
Ｓ１：洗浄機器は、洗濯物の属性情報ＣＺ１、ＣＺ２・・・ＣＺｎと、これらに対応する洗浄プログラムが順に洗浄プログラムＣＸ１、ＣＸ２・・・ＣＸａ・・・ＣＸｎ（ｎは正の整数）である旨、及び、属性情報ＫＳ１、ＫＳ２・・・ＫＳｍと、これらに対応する洗浄プログラムが順に洗浄プログラムＣＸ１、ＣＸ２・・・ＣＸｂ・・・ＣＸｍ（ｍは正の整数）である旨を予め設定する。洗浄プログラムＣＸにおけるａ、ｂの値が大きいほど優先レベルは高くなる。
【００９６】
洗浄機器は、１着の洗濯物の属性情報ＣＺａと属性情報ＫＳｂを識別すると、属性情報ＣＺａと属性情報ＫＳｂを制御ユニットに伝達する。制御ユニットは、属性情報ＣＺａと属性情報ＫＳｂを洗浄機器に予め設定されている属性と照合し、属性情報ＣＺａ及び属性情報ＫＳｂにそれぞれ対応する洗浄プログラムＣＸａ及びＣＸｂを取得する。次に、ａとｂの値を比較して、ａ≦ｂならば、前記衣類の全属性情報に適合する最適な洗浄プログラムは洗浄プログラムＣＸｂとなる。また、ａ＞ｂならば、前記衣類の全属性情報に適合する最適な洗浄プログラムは洗浄プログラムＣＸａとなる。
【００９７】
Ｓ２：上記の方法に基づき、各洗濯物の最適な洗浄プログラムを取得する。
【００９８】
Ｓ３：制御装置は、各洗濯物の最適な洗浄プログラムの優先レベルを比較し、衣類の全属性情報に適合する最適な洗浄プログラムを取得する。
【００９９】
Ｓ４：制御ユニットは、洗浄機器が前記最適な洗浄プログラムを実行するよう制御する。
【０１００】
以下に、洗濯物に綿麻材質のＴシャツとウール材質のセーターが含まれており、洗浄機器が、強洗い、中洗い及び弱洗いの３つの洗浄プログラムを実行可能な場合を例示して説明する。強洗いでは、モータの回転速度が大きく、洗浄強度が強く、洗浄時間が短くなる。弱洗いでは、モータの回転速度が小さく、洗浄が優しく、洗浄時間が長くなる。また、中洗いはこれらの中間である。
【０１０１】
洗浄機器の制御方法は、以下のステップを含む。
【０１０２】
Ｓ０：洗浄機器は、綿麻材質には強洗いプログラムＣＸ１を実行し、化繊材質には中洗いプログラムＣＸ２を実行し、ウール材質には弱洗いプログラムＣＸ３を実行し、Ｔシャツデザインには強洗いプログラムＣＸ１を実行し、ダウンジャケットデザインには中洗いプログラムＣＸ２を実行し、ウールセーターデザインには弱洗いプログラムＣＸ３を実行する旨を予め設定する。このうち、優先レベルは、弱洗いプログラムＣＸ３＞中洗いプログラムＣＸ２＞強洗いプログラムＣＸ１の順となる。
【０１０３】
Ｓ１：洗浄機器は、綿麻属性及びＴシャツデザインを識別し、綿麻属性とＴシャツデザインが、強洗いプログラムＣＸ１及び強洗いプログラムＣＸ１に順に対応する旨を取得する。そして、強洗いプログラムＣＸ１と強洗いプログラムＣＸ１の優先レベルを比較し、優先レベルの順序が強洗いプログラムＣＸ１＝強洗いプログラムＣＸ１であることから、綿麻材質のＴシャツの最適な洗浄プログラムが強洗いプログラムＣＸ１である旨を取得する。
【０１０４】
Ｓ２：上記の方法に基づいて、ウール材質のセーターの最適な洗浄プログラムが弱洗いプログラムＣＸ３である旨を取得する。そして、ウール材質のセーターと綿麻材質のＴシャツの最適な洗浄プログラムを比較すると、優先レベルは、弱洗いプログラムＣＸ３＞強洗いプログラムＣＸ１の順であることから、綿麻材質のＴシャツとウール材質のセーターの最適な洗浄プログラムが弱洗いプログラムＣＸ３である旨を取得する。
【０１０５】
Ｓ３：制御ユニットは、洗浄機器が弱洗いプログラムＣＸ３を実行するよう制御する。
【０１０６】
第２の方案として、洗濯物に蚕糸材質のＴシャツと化繊材質のスーツが含まれており、洗浄機器で、強洗い高温プログラムＣＸ１、強洗い常温プログラムＣＸ２及び弱洗い常温プログラムＣＸ３の３つの洗浄プログラムを実行可能な場合を例示して説明する。このうち、強洗い高温プログラムＣＸ１は、モータの回転速度が大きく、洗浄水を加熱することで高温とし、洗浄時間が短い。また、強洗い常温プログラムＣＸ２は、モータの回転速度が大きく、洗浄水が常温であり、洗浄時間が比較的短い。また、弱洗い常温プログラムＣＸ３は、モータの回転速度が小さく、洗浄水の温度が常温であり、洗浄時間が長い。
【０１０７】
洗浄機器の制御方法は、以下のステップを含む。
【０１０８】
Ｓ０：洗浄機器は、蚕糸材質には弱洗い常温プログラムＣＸ３を実行し、化繊材質には強洗い高温プログラムＣＸ１を実行し、Ｔシャツデザインには強洗い常温プログラムＣＸ２を実行し、スーツデザインには弱洗い常温プログラムＣＸ３を実行する旨を予め設定する。優先レベルは、弱洗い常温プログラムＣＸ３＞強洗い常温プログラムＣＸ２＞強洗い高温プログラムＣＸ１の順となる。
【０１０９】
Ｓ１：洗浄機器は、蚕糸材質のＴシャツを識別し、蚕糸材質とＴシャツデザインが、弱洗い常温プログラムＣＸ３及び強洗い常温プログラムＣＸ２に順に対応する旨を取得する。そして、強洗い常温プログラムＣＸ２と弱洗い常温プログラムＣＸ３の優先レベルを比較すると、優先レベルは、弱洗い常温プログラムＣＸ３＞強洗い常温プログラムＣＸ２であることから、蚕糸材質のＴシャツの全属性情報に適合する最適な洗浄プログラムが弱洗い常温プログラムＣＸ３である旨を取得する。
【０１１０】
Ｓ２：上記の方法に基づいて、化繊材質のスーツのうち、化繊材質には強洗い高温プログラムＣＸ１を実行し、スーツデザインには弱洗い常温プログラムＣＸ３を実行する旨を取得する。優先レベルは、弱洗い常温プログラムＣＸ３＞強洗い高温プログラムＣＸ１の順であるため、化繊スーツの洗浄プログラムは弱洗い常温プログラムＣＸ３となる。次に、蚕糸材質のＴシャツと化繊材質のスーツの最適な洗浄プログラムを比較して、これらの洗浄プログラムが弱洗い常温プログラムＣＸ３である旨を取得する。
【０１１１】
Ｓ３：制御ユニットは、洗浄機器が弱洗い常温プログラムＣＸ３を実行するよう制御する。
【実施例８】
【０１１２】
本実施例は、実施例６を更に限定する。洗浄機器の制御方法において、洗浄機器は各洗濯物の複数の属性情報を識別し、各洗濯物の属性情報を制御ユニットに伝達する。制御ユニットは、各属性情報にそれぞれ対応する洗浄プログラムを取得するとともに、全洗浄プログラムの優先レベルを比較して、衣類の全ての属性情報に適合する最適な洗浄プログラムを取得する。
【０１１３】
取得した全ての洗浄プログラムの優先レベルを比較することで、前記制御方法では洗浄機器の演算量が少なくなり、演算速度がより速くなる。
【０１１４】
洗浄機器の制御方法は、以下のステップを含む。
【０１１５】
Ｓ０：洗浄機器は、洗濯物の属性情報ＣＺ１、ＣＺ２・・・ＣＺｎと、これらに対応する洗浄プログラムＣＸ１、ＣＸ２・・・ＣＸａ・・・ＣＸｎ（ｎは正の整数）、及び、属性情報ＫＳ１、ＫＳ２・・・ＫＳｍと、これらに対応する洗浄プログラムＣＸ１、ＣＸ２・・・ＣＸａ・・・ＣＸｍ（ｍは正の整数）を予め設定する。洗浄プログラムＣＸａにおけるａの値が小さいほど優先レベルは高くなる。
【０１１６】
Ｓ１：洗浄機器は、１着目の洗濯物の属性情報ＣＺ１ａと属性情報ＫＳ１ｂを読み取ると、属性情報ＣＺ１ａと属性情報ＫＳ１ｂを制御ユニットに伝達する。制御ユニットは、属性情報ＣＺ１ａと属性情報ＫＳ１ｂに基づき、これらにそれぞれ対応する洗浄プログラムＣＸａ及びＣＸｂを取得する。
【０１１７】
また、２着目の洗濯物の属性情報ＣＺ２ｃ及び属性情報ＫＳ２ｄについて、属性情報ＣＺ２ｃと属性情報ＫＳ２ｄを制御ユニットに伝達する。制御ユニットは、属性情報ＣＺ２ｃと属性情報ＫＳ２ｄに基づき、これらにそれぞれ対応する洗浄プログラムＣＸｃ及びＣＸｄを取得する。・・・最後に、ｔ着目の洗濯物の属性情報ＣＺｔｅ及び属性情報ＫＳｔｆについて、属性情報ＣＺｔｅと属性情報ＫＳｔｆを制御ユニットに伝達する。制御ユニットは、属性情報ＣＺｔｅと属性情報ＫＳｔｆに基づき、これらにそれぞれ対応する洗浄プログラムＣＸｅ及びＣＸｆを取得する。
【０１１８】
Ｓ２：ａ、ｂ、ｃ、ｄ、ｅ、ｆの値を比較し、ａが最大ならば洗浄プログラムＣＸａを実行し、ｂが最大ならば洗浄プログラムＣＸｂを実行し、ｃが最大ならば洗浄プログラムＣＸｃを実行し、ｄが最大ならば洗浄プログラムＣＸｄを実行し、ｅが最大ならば洗浄プログラムＣＸｅを実行し、ｆが最大ならば洗浄プログラムＣＸｆを実行する。
【０１１９】
Ｓ３：洗浄機器が最適な前記洗浄プログラムを実行するよう制御する。
【０１２０】
更に、全ての洗浄プログラムの優先レベルを比較する前に、制御ユニットは、複数の洗浄プログラムの集合を求める。そして、集合内の洗浄プログラムの優先レベルを比較して、全衣類の全ての属性に適合する最適な洗浄プログラムを取得する。まず集合を求めることで比較演算量が減少し、演算速度が向上する。
【０１２１】
図３に示すように、具体的に、洗浄機器の制御方法は以下のステップを含む。
【０１２２】
Ｓ１：洗浄機器は各洗濯物の複数の属性情報を識別し、各洗濯物の属性情報を制御ユニットに伝達する。制御ユニットは、各属性情報にそれぞれ対応する洗浄プログラムを取得する。
【０１２３】
Ｓ２：前記洗浄プログラムの集合を取得する。
【０１２４】
Ｓ３：集合内の洗浄プログラムの優先レベルを比較し、全衣類の全ての属性に適合する最適な洗浄プログラムを取得する。
【０１２５】
Ｓ４：洗浄機器が最適な前記洗浄プログラムを実行するよう制御する。
【０１２６】
以下に、洗濯物に綿麻Ｔシャツとウール材質のセーターが含まれる場合を例示して説明する。
【０１２７】
強洗い高温プログラムＣＸ１は、モータの回転速度が大きく、洗浄水が高温であり、洗浄時間が短い。強洗い常温プログラムＣＸ２は、モータの回転速度が大きく、洗浄水が常温であり、洗浄時間が比較的短い。また、弱洗い常温プログラムＣＸ３は、モータの回転速度が小さく、洗浄水が低温であり、洗浄時間が長い。
【０１２８】
洗浄機器の制御方法は、以下のステップを含む。
【０１２９】
Ｓ０：洗浄機器は、綿麻材質には強洗い高温プログラムＣＸ１を実行し、化繊材質には強洗い高温プログラムＣＸ１を実行し、ウール材質には弱洗い常温プログラムＣＸ３を実行し、Ｔシャツデザインには強洗い常温プログラムＣＸ２を実行し、ウールセーターデザインには弱洗い常温プログラムＣＸ３を実行する旨を予め設定する。優先レベルは、弱洗い常温プログラムＣＸ３＞強洗い常温プログラムＣＸ２＞強洗い高温プログラムＣＸ１の順となる。
【０１３０】
Ｓ１：洗浄機器は、綿麻Ｔシャツの属性が綿麻材質及びＴシャツデザインであり、ウール材質のセーターがウール材質及びウールセーターデザインである旨を識別し、制御ユニットに伝達する。
【０１３１】
Ｓ２：制御ユニットは、綿麻Ｔシャツに対応する洗浄プログラムが、強洗い高温プログラムＣＸ１及び強洗い常温プログラムＣＸ２であり、ウール材質のセーターに対応する洗浄プログラムが、弱洗い常温プログラムＣＸ３及び弱洗い常温プログラムＣＸ３である旨を取得する。そして、上記洗浄プログラムの集合を求め、洗濯物の洗浄プログラムが、強洗い高温プログラムＣＸ１、強洗い常温プログラムＣＸ２及び弱洗い常温プログラムＣＸ３である旨を取得する。次に、集合内の洗浄プログラムの優先レベルを比較して、優先レベルが、弱洗い常温プログラムＣＸ３＞強洗い常温プログラムＣＸ２＞強洗い高温プログラムＣＸ１であることから、全衣類の全ての属性情報に適合する最適な洗浄プログラムが弱洗い常温プログラムＣＸ３である旨を取得する。
【０１３２】
Ｓ３：制御ユニットは、洗浄機器が弱洗い常温プログラムＣＸ３を実行するよう制御する。
【０１３３】
弱洗い常温洗浄プログラムでは、洗浄過程におけるモータの回転速度が小さく、洗浄水の温度が常温であり、洗浄時間が相対的に長い。
【実施例９】
【０１３４】
洗浄機器は、洗濯物の衣類情報を識別することで、機器洗浄に向くか否か、及び、混合洗浄に向くか否かを判断し、各種注意喚起を行う。本発明における洗濯物の衣類情報は、データ記憶方法により記憶される。これにより、洗浄機器は衣類情報を容易に識別可能となるため、エラー率が低下する。よって、洗浄機器が記憶されている情報に基づき正確な判断を行い、注意喚起をしたり、推薦する洗濯プログラムを提示したりするのに都合がよい。
【０１３５】
本実施例は、実施例１から実施例８で言及した衣類情報のデータ記憶方法を提供する。前記データ記憶方法では、衣類情報を情報カテゴリに基づきＮ種類のデータ情報に分類し、前記Ｎ種類のデータ情報をコード形式でデータ担持体にそれぞれ記憶する。同一種類のデータ情報における異なるコードは、定義の異なる具体的衣類情報を表している。
【０１３６】
上記の方案において、衣類情報をＮ種類に分類し、それぞれをコード形式でデータ担持体に記憶することは、衣類情報の記憶方式をルール化するのに都合がよいため、任意の衣類を記憶及び定義可能となる。当該方法は簡単且つ実用的であり、普及に値する。一方、各データ情報をコード形式で記憶すれば、衣類情報の記憶容量が節約される。よって、従来の記憶方式と比較して、本方案によれば小さな記憶空間に多くの衣類情報が記憶される。
【０１３７】
好ましくは、Ｎ種類のデータ情報における各種データ情報それぞれの種別数に基づき、各種データ情報に適切なビット数を割り当てて相応の情報を記憶する。
【０１３８】
上記の方案では、Ｎ種類のデータ情報における各種データ情報それぞれの種別数に基づき、各種データ情報に適切なビット数を割り当てて相応の情報を記憶する。当該設計は合理的であり、記憶空間の更なる節約となる。例えば、衣服は材質情報とメーカー情報を含む。現在のところ、衣服の材質に関する種別データ数はメーカーに遠く及ばないため、記憶空間を割り当てる際に、メーカー情報に割り当てる記憶空間を材質情報の記憶空間よりも大きくすることがいっそう合理的である。なお、言うまでもなく、各種データ情報に割り当てる記憶空間を現時点の前記データ情報自身の総種別数よりも大きくし、余剰空間を保持してもよい。これにより、将来的な当該分野の情報増加に備えることもできる。例えば、現時点で材質となり得る種別数がＭ個の場合、材質データに割り当てる記憶空間に記憶可能なコードにはＭ種類よりも多くの異なる変化が生じ得る。そのため、前記記憶空間は、現時点における全ての衣類の材質情報を完全に提示可能なだけでなく、将来的により多くの新たな衣類材質を有する可能性がある。よって、前記記憶空間には余裕を持たせておけばよい。
【０１３９】
一方で、本方案は、割り当てる各種データ情報の記憶空間を現時点における前記各種データ情報それぞれの種別数よりも大きくせねばならないとは限らず、各種データを何らかのルールに基づいて更に複数の小分類に分割してもよい。この場合、各種データ情報に割り当てられる記憶空間の記憶量は、それぞれの複数の小分類を区分できさえすればよい。例えば、衣類の材質情報は、ジュート、ラミー、ウール、兎毛、蚕糸、クモ糸、ポリエステル、ナイロン、アクリル等を含む。そのため、材質の種別に基づいて、各材質を麻類材質（ジュート、ラミー）、毛類材質（ウール、兎毛）、糸類材質（蚕糸、クモ糸）、化繊類材質（ポリエステル、ナイロン、アクリル）に分割することができる。この場合には、例えば、００が麻類材質、０１が毛類材質、１０が糸類材質、１１が化繊類材質を表すというように、衣類の材質情報に２ビットを割り当てればよい（これらの例示は説明及び解釈のためのものにすぎず、本発明の技術方案を限定するものではない）。
【０１４０】
好ましくは、前記Ｎ種類のデータ情報は、衣類の材質情報、衣類の色情報、衣類の種別情報を含む。このうち、衣類の種別情報が占有するビット数＞衣類の色情報が占有するビット数＞衣類の材質情報が占有するビット数とする。
【０１４１】
上記の方案において、前記Ｎ種類のデータ情報が、衣類の材質情報、衣類の色情報、衣類の種別情報を含むように設計したのは、発明者が大量の実験から導き出した衣類にとって最も重要な３種類のデータ情報だからであり、これらによって一般的なニーズはほぼ満たされる。これら３種類のデータは、衣類にとって非常に重要なデータ種別である。例えば、衣類の材質情報は、消費者が衣類を選ぶ際の重要な根拠となり、洗剤を選んで衣類を洗浄する際に参照する重要な根拠ともなる。例えば、衣類の材質情報は、洗浄プログラムのスマートマッチング機能を実現可能とするほか、衣類を選択したいとのニーズを満たしたり、衣類を回収・分類する際の根拠となり得たりする。また、衣類の色は、消費者が衣類を選ぶ際の重要な根拠となるほか、衣類を混合洗浄する際に、各衣類の混合洗浄可否について参照する重要な根拠ともなる。現代の自動化された工業において、前記データ情報は重要なパラメータ情報となる。また、種別情報は、洗剤を選ぶ際の重要な根拠になるだけでなく、洗浄強度の重要な根拠ともなり、衣類を選ぶ際の根拠ともなるほか、将来或いは現在の自動化設計における重要なパラメータ情報ともなる。衣類の種別情報は、例えば、ダウンジャケット、スーツ、セーター、ニットといった衣類のデザイン情報でもある。よって、衣類の材質情報、衣類の色情報、衣類の種別情報は、衣類のＮ種類のデータ情報のなかでも非常に重要な３種類のデータである。工業の自動化において最も必要とされる情報といってもよく、日常的な衣類情報を把握したいとのニーズを満たすものでもある。ひいては、これら３種類のデータ情報を組み合わせることで、衣類性能の客観的指標になるともいえる。
【０１４２】
好ましくは、前記衣類の材質情報は３〜６ビットを占有し、前記衣類の色情報は４〜６ビットを占有し、前記衣類の種別情報は５〜７ビットを占有する。より好ましくは、前記衣類の材質情報は４ビットを占有し、前記衣類の色情報は５ビットを占有し、前記衣類の種別情報は６ビットを占有する。
【０１４３】
上記の方案において、前記衣類の材質情報が４ビットを占有し、前記衣類の色情報が５ビットを占有し、前記衣類の種別情報が６ビットを占有するよう設計したのは、発明者が大量の研究により導き出した最適な記憶方式だからである。上記の具体的な各記憶ビット数に設計することで、衣類の種別情報をほぼ区分可能となり、一般的な分類ニーズを満たすことが可能となる。例えば、衣類の材質情報を４ビットで記憶又は標識する場合には、１６種類の材質を区分可能となる。これら１６種類の材質とは、それぞれ、綿、麻、蚕糸、テンセル、シルク、絹織物、ウール、カシミヤ、ポリプロピレン、アクリル、スパンデックス、ビスコース、ナイロン、ポリエステル、化繊、ポリエステル繊維である。これらの分類は、日常において衣類の材質を詳細に分類したいとのニーズを完全に満たすものであり、洗濯機において衣類の洗浄プログラムや洗剤をマッチングする際の根拠となり得る。また、衣類を適切に予測する際の根拠にもなる。
【実施例１０】
【０１４４】
本実施例は、実施例９のデータ記憶方法によってデータを記憶するデータ担持体を提供する。前記データ担持体は、衣類自体の特性情報を記憶するための第１記憶領域を含む。前記第１記憶領域は、衣類の材質情報を記憶するための衣類材質情報記憶モジュールを少なくとも含む。
【０１４５】
上記の方案において、衣類の材質情報は衣類にとって最も重要な情報であり、例えば、衣類の分別・回収分野、衣類の洗浄プログラムマッチング分野、衣類の機能分析分野、衣類のスマート価格設定分野といった衣類についての各種自動制御分野に関係する。
【０１４６】
好ましくは、前記第１記憶領域は、衣類色情報記憶モジュール及び衣類種別情報記憶モジュールを更に含む。前記衣類色情報記憶モジュールは、対応する衣類の色情報を記憶するために用いられ、前記衣類種別情報記憶モジュールは、対応する衣類の種別情報を記憶するために用いられる。好ましくは、前記第１記憶領域は、メーカー情報記憶モジュール及び衣類規格情報記憶モジュールを更に含む。前記メーカー情報記憶モジュールは衣類のメーカー情報を記憶するために用いられ、前記衣類規格情報記憶モジュールは衣類の規格情報を記憶するために用いられる。
【０１４７】
上記の方案において、規格データは衣類の仕分けの根拠となり、衣類のスマート仕分けにおける重要な根拠になり得るとともに、衣類を回収する際の重要な根拠ともなる。また、メーカー情報は、衣類の偽造防止分野や衣類の評価分野に利用可能である。
【０１４８】
好ましくは、前記衣類の材質情報、衣類の色情報、衣類の種別情報、衣類の規格情報、衣類のメーカー情報はいずれもコードであり、異なるコードは定義の異なる具体的情報を表す。
【０１４９】
上記の方案において、コード形式で衣類の材質情報、衣類の色情報、衣類の種別情報、衣類の規格情報、衣類のメーカー情報を表すことは、記憶空間の節約に都合がよい。本発明におけるデータ担持体の応用としては、対応する衣類に固定して当該衣類の情報を標識することが挙げられる。即ち、大量に用いられるデータ担持体であるため、できる限りコストダウンする必要がある。そこで、前記データ担持体の記憶空間を縮小して直接のコストダウンを可能とすることが、最も実用的なコストダウンの方案となる。
【０１５０】
好ましくは、前記第１記憶領域の容量はＭバイトであり、メーカー情報記憶モジュールの記憶容量＞衣類種別情報記憶モジュールの記憶容量＞衣類色情報記憶モジュールの記憶容量≧衣類規格情報記憶モジュールの記憶容量＞衣類材質情報記憶モジュールの記憶容量とする。
【０１５１】
上記の方案では、衣類の各種情報ごとに種別量が異なるため、割り当てられる各記憶モジュールの記憶容量も異なる。また、割り当てられる各記憶モジュールの記憶容量が異なることは、データ担持体の記憶空間を節約することにもなる。よって、前記データ担持体の記憶領域を、メーカー情報記憶モジュールの記憶容量＞衣類種別情報記憶モジュールの記憶容量＞衣類色情報記憶モジュールの記憶容量≧衣類規格情報記憶モジュールの記憶容量＞衣類材質情報記憶モジュールの記憶容量となるよう構成することは、より多くの衣類情報を記憶するために都合がよい。
【０１５２】
好ましくは、前記Ｍは４であり、前記衣類のメーカー情報が１２ビットを占有し、衣類の規格情報が５ビットを占有し、衣類の種別情報が６ビットを占有し、前記衣類の色情報が５ビットを占有し、前記衣類の材質情報が４ビットを占有する。
【０１５３】
好ましくは、前記データ担持体は更に第２記憶領域を含む。前記第２記憶領域は、衣類メーカーがメーカーの内部情報を記憶するために用いられる。
【０１５４】
上記の方案において、前記データ担持体に第２記憶領域を設けることで、メーカーは衣類のＩＤを標識しやすくなる。また、第２記憶領域を設けることで、前記データ担持体に対するメーカーの依存度が増すため、メーカー側における前記データ担持体の普及及び応用に有利となる。当該設計はより合理的であり、メーカー自身のニーズと外界のニーズを合致させられるため、データ担持体の普及に都合がよい。
【０１５５】
具体的には、図４を参照して、前記データ担持体は第１記憶領域と第２記憶領域を含む。第１記憶領域は３２ビットを有し、右から左に向かって上位から下位となる。第１記憶領域は５つの記憶モジュールを含み、上位から下位に向かって、それぞれ、衣類材質情報記憶モジュール１、衣類色情報記憶モジュール２、衣類種別情報記憶モジュール３、衣類規格情報記憶モジュール４、メーカー情報記憶モジュール５となっている。衣類材質情報記憶モジュール１は４ビットを占有し、衣類色情報記憶モジュール２は５ビットを占有し、衣類種別情報記憶モジュール３は６ビットを占有し、衣類規格情報記憶モジュール４は５ビットを占有し、メーカー情報記憶モジュール５は１２ビットを占有する。
【実施例１１】
【０１５６】
本実施例は、実施例１０を元に、データ担持体に衣類情報を記憶する方法を更に提供する。前記データ担持体は電子タグである。図５〜図６に示すように、前記電子タグは、タグ対象を識別するための電子製品コードを記憶するＥＰＣメモリと、ユーザのカスタムデータを記憶するＵＳＥＲメモリを少なくとも含み、標識する衣類情報の符号化に用いられる。上記の記憶方法では、電子タグのＥＰＣメモリにおける余剰記憶空間を検出する。前記記憶空間に衣類情報のコードを十分に記憶可能な場合には、前記衣類情報のコードをＥＰＣメモリに記憶するが、十分に記憶できない場合には、前記衣類情報のコードをＵＳＥＲメモリに記憶する。また、電子タグが衣類の各種情報における重要情報を完全且つ効果的に記憶可能となり、洗濯機のスマート洗浄ニーズを満たすよう、記憶過程では、衣類の情報カテゴリ別に異なる書き込み優先度を適用する。
【０１５７】
図５〜図６に示すように、本実施例において、衣類情報のコードで標識する衣類情報には、衣類自体の特性情報である衣類属性情報が含まれる。本実施例の衣類属性には、衣類の材質情報、衣類の色情報、衣類の種別情報、衣類の規格情報、衣類のメーカー情報等が含まれる。
【０１５８】
本実施例はＲＦＩＤ電子タグ記憶技術に準拠しており、記憶方法及び電子タグはＥＰＣのＣｌａｓｓ１ Ｇｅｎ２プロトコルに適合している。前記プロトコルに基づき、電子タグの内部メモリは、予約（ＲＥＳＥＲＶＥＤ）メモリ、ＥＰＣメモリ、タグ識別番号（ＴＩＤ）メモリ、ユーザ（ＵＳＥＲ）メモリという４つの独立したメモリにそれぞれ分けられる。予約メモリは、電子タグのキル（Ｋｉｌｌ）及びアクセスパスワードを管理するために用いられる。また、ＴＩＤメモリは電子タグの保存に用いられ、一般的には電子タグチップメーカーから提供される情報を記憶する。ＥＰＣメモリは、一般的にＩＤ情報である製品の電子コードを保存する。また、ＵＳＥＲメモリは業務データを保存するものであり、応用場面に応じてユーザが自主的に定義する必要がある。
【０１５９】
衣類情報のコード記憶の完全性を保証すべく、図２に示すように、本発明の記憶方法は以下のステップを含む。
【０１６０】
Ｓ１：予め記憶する衣類情報のコードによる占有空間を検出する。
【０１６１】
Ｓ２：電子タグのＥＰＣメモリにおける余剰記憶空間を検出する。
【０１６２】
Ｓ３：前記衣類情報のコードによる占有空間がＥＰＣメモリの余剰記憶空間よりも小さいか否かを比較する。そして、衣類情報のコードによる占有空間がＥＰＣメモリの余剰記憶空間よりも小さい場合にはステップＳ４に進み、小さくない場合にはステップＳ５に進む。
【０１６３】
Ｓ４：前記衣類情報のコードをＥＰＣメモリに記憶する。
【０１６４】
Ｓ５：前記衣類情報のコードをＵＳＥＲメモリに記憶する。
【０１６５】
当該方法では、衣類情報のコードを記憶する前に、前記予め記憶する衣類情報のコードの符号化長を走査装置により走査するとともに、前記衣類情報のコードに必要な記憶空間を算出する。また、メモリ空間を走査することでフィードバックされた余剰空間情報から、前記衣類情報のコードの記憶位置を決定する。通常であれば、前記衣類情報のコードをＥＰＣメモリに優先的に記憶するが、上記の操作ステップによって、衣類情報のコードに必要な記憶空間がＥＰＣメモリの余剰空間よりも大きいことが分かった場合には、前記衣類情報のコード全体をＵＳＥＲ領域に記憶する。
【０１６６】
相応の記憶領域に書き込む際には、衣類情報のコードが示す各衣類属性情報が、メモリへの書き込み過程において異なる書き込み優先度を有する。本実施例における衣類属性の場合、メモリに書き込む際の優先度は、衣類の材質情報＞衣類の色情報＞衣類の種別情報＞衣類の規格情報＞衣類のメーカー情報の順となる。
【０１６７】
このような優先度を実現するために、図６に示すように、当該方法の電子タグに対応する衣類属性の記憶領域は、衣類情報のコードの符号化分布と一致している。まず、衣類の洗浄に最も影響の大きな衣類の材質情報を電子タグに記憶してから、衣類の色情報等を順に記憶する。これにより、想定外の状況によって記憶に異常が生じ、書き込みができなかったり、メモリがオーバーフローしたりとの状況が発生した場合でも、最初に書き込まれる高優先度の重要データについては良好に記憶されるため、衣類の洗浄効果が最大限保証される。
【０１６８】
本発明において、衣類情報のコードの符号化長は４〜４５ビットであり、各前記衣類属性情報を記憶する際には、上位から下位へと順に前記メモリに書き込んでいく。具体的に、本実施例における衣類情報のコードの符号化長は３２ビットである。前記電子タグは、衣類の情報カテゴリに基づいて異なる記憶領域に区分される。各種情報が前記異なる記憶領域において占有する記憶空間の大きさ同士は全く同じではない。
【０１６９】
本実施例において、各衣類属性情報が占有する記憶空間は、衣類のメーカー情報＞衣類の種別情報＞衣類の色情報≧衣類の規格情報＞衣類の材質情報、との関係になるよう区分される。
【０１７０】
本実施例では、図６における電子タグの記憶構造ルールに基づいて、具体的な符号化空間が、衣類のメーカー情報が１２ビットを占有し、衣類の規格情報が５ビットを占有し、衣類の種別情報が６ビットを占有し、前記衣類の色情報が５ビットを占有し、前記衣類の材質情報が４ビットを占有する、というように分布している。
【０１７１】
また、注意すべき点として、図６に示すように、電子タグに記憶される衣類情報のコードには、通常、衣類メーカーが定義した衣類メーカーの内部コードが更に含まれる。そのため、メモリには衣類情報のコードを記憶するだけでなく、前記衣類メーカーの内部コードを記憶する必要もある。前記コードは衣類の洗浄にとって実質的な意味は持たないため、各コードの記憶過程において、衣類メーカーの内部コードの優先度は衣類情報のコードよりも低い。
【０１７２】
実施例において電子タグに記憶されるコードには、衣類メーカーが定義する衣類メーカーの内部コードと、洗濯機メーカーが定義する衣類情報のコードが含まれるが、これらのコードについては、電子タグへの書き込み後の修正を不可とする。
【０１７３】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【０１７４】
１  衣類材質情報記憶モジュール
２  衣類色情報記憶モジュール
３  衣類種別情報記憶モジュール
４  衣類規格情報記憶モジュール
５  メーカー情報記憶モジュール
【図１】
2020524534.tif 000003
【図２】
2020524534.tif 000004
【図３】
2020524534.tif 000005
【図４】
2020524534.tif 000006
【図５】
2020524534.tif 000007
【図６】
2020524534.tif 000008
【国際調査報告】
2020524534.tif 000009
2020524534.tif 000010
2020524534.tif 000011
2020524534.tif 000012